(57)【要約】【課題】搬送車が他の装置からの信号に依存することなく荷物搬出時の移載装置の動作を自律的に止める。【解決手段】荷物２１０を搬送する搬送車１００であって、他の装置との間で荷物２１０を搬出入するコンベア式の移載装置１０１と、移載装置１０１の搬出入を制御する制御装置１０２と、移載装置１０１の所定箇所における荷物２１０の有無を検出する荷検出器１０３とを備え、制御装置１０２は、移載装置１０１を用いて荷物２１０を搬入する際に、荷検出器１０３を用いて検出される荷物２１０の搬出入方向における長さを示す搬入情報を取得する搬入情報取得部１２１と、移載装置１０１を用いて荷物２１０を搬出する際に、搬入情報を用いて移載装置１０１の搬出動作を停止させる搬出動作停止部１２２とを備える。【選択図】図３
2013095522.tif 000002
【特許請求の範囲】
【請求項１】
荷物を搬送する搬送車であって、
他の装置との間で荷物を搬出入するコンベア式の移載装置と、
前記移載装置による荷物の搬出入を制御する制御装置と、
前記移載装置の所定箇所における荷物の有無を検出する荷検出器とを備え、
前記制御装置は、
前記移載装置を用いて荷物を搬入する際に、前記荷検出器を用いて検出される前記荷物の搬出入方向における長さを示す搬入情報を取得する搬入情報取得部と、
前記移載装置を用いて前記荷物を搬出する際に、前記搬入情報を用いて前記移載装置の搬出動作を停止させる搬出動作停止部とを備える
搬送車。
【請求項２】
前記制御装置はさらに、
前記搬出動作停止部が前記移載装置の搬出動作を停止させた後、前記荷検出器の検出結果から前記移載装置の前記所定箇所において荷物がないことを確認した場合、当該搬送車の移動を許可する移動判断部を備える
請求項１に記載の搬送車。
【請求項３】
前記荷検出器は、移載装置の搬送方向の端部における荷物の有無を検出するものであり、
前記制御装置はさらに、
当該搬送車が移動している際、前記荷検出器の検出結果から前記移載装置の前記所定箇所において荷物があることを確認した場合、異常を報知する異常報知部を備える
請求項１または２に記載の搬送車。
【発明の詳細な説明】
【技術分野】
【０００１】
本願発明は荷物を搬送する搬送車に関し、特に他の装置（設備）との間で荷物を移載することのできる移載装置を備える搬送車に関する。
【背景技術】
【０００２】
従来、所定の場所に設置される装置等から自動的に荷物を受け取り他の場所に設置される装置に当該荷物を無人で搬送する搬送車がある。
【０００３】
例えば特許文献１には、移載装置を搭載し自ら荷物を移載する搬送車に関する発明が記載されている。このような搬送車では、荷物を移載するに際しては、移載対象の装置と信号のやりとりをし、荷物が移載されたことを相互に確認した後、移載装置の動作を停止させている。
【０００４】
具体的に例えば、搬送車から他の装置に荷物を搬出する場合、他の装置が荷物を受け取った旨を示す信号を搬送車が受け取ると、移載装置の動作を停止するという制御が行われている。これは、搬送車と他の装置との間に跨がった状態で荷物が止まり、当該状態で搬送車が発車してしまうなどの不具合を回避するためである。
【先行技術文献】
【特許文献】
【０００５】
【特許文献１】特開平５−１５５４１９号公報
【発明の概要】
【発明が解決しようとする課題】
【０００６】
ところが、他の装置によっては、荷物を受け取った旨を示す信号の送信タイミングが遅い装置がある。このような装置の場合、実際には荷物が他の装置に移載されたにもかかわらず、他の装置から前記信号が送られてくるまでは、移載装置の動作を停止させることができない。また、他の装置の不具合によって前記信号を受信することができない場合、移載装置を動作させ続けることとなる。特に移載装置がローラー式やベルト式などのコンベアである場合、前記信号を受信するまではコンベアを駆動させ続けることとなり、エネルギーの無駄となっている。
【０００７】
本願発明は上記課題に鑑みなされたものであり、荷物の搬出が完了したことを自律的に判断し、搭載する移載装置の動作を停止させることのできる搬送車の提供を目的とする。
【課題を解決するための手段】
【０００８】
上記目的を達成するために、本願発明にかかる搬送車は、荷物を搬送する搬送車であって、他の装置との間で荷物を搬出入するコンベア式の移載装置と、前記移載装置による荷物の搬出入を制御する制御装置と、前記移載装置の所定箇所における荷物の有無を検出する荷検出器とを備え、前記制御装置は、前記移載装置を用いて荷物を搬入する際に、前記荷検出器を用いて検出される前記荷物の搬出入方向における長さを示す搬入情報を取得する搬入情報取得部と、前記移載装置を用いて前記荷物を搬出する際に、前記搬入情報を用いて前記移載装置の搬出動作を停止させる搬出動作停止部とを備えることを特徴とする。
【０００９】
これにより、搬送車自らが取得した搬入情報に基づき搬送車自らが荷物の搬出完了を判断して移載装置を停止させることが可能となる。従って、荷物を移載する相手方である他の装置の状態にかかわらず、移載装置を停止させることができ、エネルギーの消費量を削減することが可能となる。
【００１０】
さらに、搬入情報に基づき移載装置を停止させるため、搬送する荷物の大きさにも柔軟に対応して移載装置を停止させることができる。
【００１１】
前記制御装置はさらに、前記搬出動作停止部が前記移載装置の搬出動作を停止させた後、前記荷検出器の検出結果から前記移載装置の前記所定箇所において荷物がないことを確認した場合、当該搬送車の移動を許可する移動判断部を備えてもよい。
【００１２】
これによれば、コンベアと荷物とのスリップ等により移載装置が正常に荷物を搬出できないにもかかわらず搬送車が移動を開始し、荷物が破損するなどの不具合を回避することが可能となる。
【００１３】
また、前記荷検出器は、移載装置の搬送方向の端部における荷物の有無を検出するものであり、前記制御装置はさらに、当該搬送車が移動している際、前記荷検出器の検出結果から前記移載装置の前記所定箇所において荷物があることを確認した場合、異常を報知する異常報知部を備えてもかまわない。
【００１４】
これにより、荷物搬出後に自律的に移載装置を停止させるための荷検出器を用いて、荷物を搬送中の不具合、いわゆる荷ずれや荷崩れなどを検知して異常を報知することができ、搬送車に搭載する部品点数を削減することができる。従って、搬送車を製造する工程が削減でき搬送車製造時の消費エネルギーを削減することが可能となる。
【００１５】
なお、前記制御装置の各処理部を実現するためにコンピュータに実行させるためのプログラムを実施することも本願発明の実施に該当する。無論、そのプログラムが記録された記録媒体を実施することも本願発明の実施に該当する。
【発明の効果】
【００１６】
本願発明は、搬送車が自律的に荷物の搬出を判断して移載装置の動作を停止させることができ、無駄なエネルギーの消費を抑制することが可能となる。
【図面の簡単な説明】
【００１７】
【図１】図１は、搬送車を備える搬送システムを模式的に示す平面図である。
【図２】図２は、搬送車を模式的に示す平面図である。
【図３】図３は、搬送車の機能構成を示すブロック図である。
【図４】図４は、荷物を搬入する際の処理、および、動作の流れを示すフローチャートである。
【図５】図５は、搬入処理中の荷物と移載装置との関係を示す平面図である。
【図６】図６は、搬入処理中の荷物と移載装置との関係を示す平面図である。
【図７】図７は、荷物を搬送する際の処理、および、動作の流れを示すフローチャートである。
【図８】図８は、荷物を搬出する際の処理、および、動作の流れを示すフローチャートである。
【図９】図９は、搬出処理中の荷物と移載装置との関係を示す平面図である。
【図１０】図１０は、搬出処理終了時の荷物と移載装置との関係を示す平面図である。
【図１１】図１１は、搬出処理が異常状態で終了した際の荷物と移載装置との関係を示す平面図である。
【発明を実施するための形態】
【００１８】
次に、本願発明に係る搬送車の実施の形態について、図面を参照しつつ説明する。なお、以下の実施の形態は、本願発明に係る搬送車の一例を示したものに過ぎない。従って本願発明は、以下の実施の形態を参考に請求の範囲の文言によって範囲が画定されるものであり、以下の実施の形態のみに限定されるものではない。
【００１９】
図１は、搬送車を備える搬送システムを模式的に示す平面図である。
【００２０】
同図に示す搬送システム２００は、搬送車１００と、搬送車１００の軌道を形成するレール２０１と、他の装置である搬入装置２０２、および、搬出装置２０３を備えている。また、搬送システム２００の側方には、荷物に対して処理を行う他の装置である第一処理装置２０４、および、第二処理装置２０５とを備えている。
【００２１】
搬送システム２００は、搬入装置２０２から荷物２１０を受け取った搬送車１００が、荷物２１０を第一処理装置２０４や第二処理装置２０５に搬送し、処理が終了した荷物２１０を搬出装置２０３に搬出するシステムである。本実施の形態の場合、搬送システム２００は、複数台の搬送車１００を備え、搬送車１００は、荷物２１０を他の装置との間で自動的に移載し、荷物２１０を自動的に搬送している。
【００２２】
図２は、搬送車を模式的に示す平面図である。
【００２３】
図３は、搬送車の機能構成を示すブロック図である。
【００２４】
これらの図に示すように、搬送車１００は、荷物を搬送する台車であって、移載装置１０１と、制御装置１０２と、荷検出器１０３とを備えている。また、搬送車１００は、底部に図示しない駆動輪と、この駆動輪を駆動するモータ等からなる搬送車駆動部１０４と、移載装置１０１を駆動するモータなどからなる移載装置駆動部１０５とを備えている。
【００２５】
移載装置１０１は、他の装置との間で荷物２１０を搬出入するコンベアである。本実施の形態の場合、移載装置１０１は、ローラコンベアである。移載装置１０１は、移載装置駆動部１０５に連結されて正逆回転自在に駆動されるローラ１１１を複数本並べた状態で備えている。移載装置１０１は、ローラ１１１を駆動することにより、載置された荷物２１０を搬送車１００外に搬出することができ、また、荷物２１０の端部が移載装置１０１に掛かれば、ローラ１１１を搬出とは逆向きに駆動することにより搬送車１００内に搬入することができる。
【００２６】
なお、移載装置１０１としては、ローラコンベアばかりでなく、ベルトコンベアやチェーンコンベアなど任意のコンベアを採用しうる。
【００２７】
荷検出器１０３は、移載装置１０１の所定箇所における荷物２１０の有無を検出するセンサである。本実施の形態の場合、荷検出器１０３は、投光器１３１と受光器１３２とを備え、受光器１３２が投光器１３１の光を受光するか否かによって投光器１３１と受光器との間の荷物２１０の有無を示す情報を創出する。また、荷検出器１０３は、移載装置の搬送方向（図２中Ｘ軸方向）の両端部にそれぞれ配置されている。
【００２８】
なお、荷検出器１０３は、光透過型のセンサばかりでなく、荷物２１０からの光の反射に基づき荷物２１０の有無を検出する反射型のセンサでもよい。さらに、荷検出器１０３は、音波や電波を用いたセンサ、荷物２１０が発信する情報を取得することにより荷物２１０の有無を検出するセンサでもかまわない。
【００２９】
また、荷検出器１０３は、移載装置１０１の端縁ぎりぎりに配置するものでもよい。このように配置することで移載装置１０１から荷物２１０が突出していることを検出することができ、搬送車１００が移動する際に荷物２１０が他の設備などと接触することを防止することができる。
【００３０】
制御装置１０２は、移載装置１０１の搬出入を制御する装置であり、例えばソフトウエアに基づき各処理を実行するコンピュータである。制御装置１０２は、搬入情報取得部１２１と、搬出動作停止部１２２とを備え、さらに、移動判断部１２３と、異常報知部１２４とを備えている。
【００３１】
搬入情報取得部１２１は、移載装置１０１を用いて荷物２１０を搬入する際に、荷検出器１０３を用いて検出される荷物２１０の搬出入方向における長さを示す搬入情報を取得する処理部である。ここで、荷物２１０の搬出入方向における長さとは、荷物２１０の実際の長さばかりでなく、荷物２１０の搬入に要した時間や、荷物２１０の搬入に要した移載装置１０１の駆動距離でもよい。
【００３２】
本実施の形態の場合、搬入情報取得部１２１は、タイマー等から時間情報に基づき、荷検出器１０３が荷物２１０が有ることを検出し始めてから荷物２１０がないと検出するまでの時間を搬入情報として取得する。
【００３３】
なお、搬入情報取得部１２１は、移載装置１０１が備えるエンコーダなどから移載装置１０１の駆動距離情報を取得し、移載装置１０１が駆動を開始してから荷検出器１０３が荷物２１０が有ることを検出し、さらに、荷物２１０がないと検出するまでの駆動距離を搬入情報としてもよい。
【００３４】
搬出動作停止部１２２は、移載装置１０１を用いて荷物２１０を搬出する際に、搬入情報を用いて移載装置１０１の搬出動作を停止させる処理部である。
【００３５】
例えば搬入情報が時間であった場合、搬出動作停止部１２２は、タイマー等から時間情報に基づき、荷検出器１０３が荷物２１０が有ることを検出し始めてから搬入情報にマージンとしての付加時間を足した時間経過後、移載装置駆動部１０５に対し駆動を停止する情報を送信し搬出動作を停止させればよい。
【００３６】
なお、搬入情報が移載距離であった場合、搬出動作停止部１２２は、移載装置１０１が備えるエンコーダなどから移載装置１０１の駆動距離情報を取得し、移載装置１０１が駆動を開始してから搬入情報にマージンとしての付加距離を足した駆動距離分移載装置１０１を駆動させた後、移載装置駆動部１０５に対し駆動を停止する情報を送信し搬出動作を停止させてもよい。
【００３７】
移動判断部１２３は、搬出動作停止部１２２が移載装置１０１の搬出動作を停止させた後、荷検出器１０３の検出結果から移載装置１０１において荷物２１０がないことを確認した場合、搬送車駆動部１０４に対し搬送車１００の移動を許可する情報を送信する処理部である。
【００３８】
異常報知部１２４は、搬送車１００が移動している際、荷検出器１０３の検出結果から移載装置１０１において荷物２１０があることを確認した場合、異常を報知する処理部である。
【００３９】
次に、搬送車１００の処理、および、動作の流れの一例を説明する。
【００４０】
図４は、荷物を搬入する際の処理、および、動作の流れを示すフローチャートである。
【００４１】
搬送車１００が搬入装置２０２に到着し（Ｓ１０１）、移載装置１０１の駆動を開始する（Ｓ１０４）。
【００４２】
移載装置１０１が駆動すると、荷物２１０が搬送車１００側に搬入されはじめ、荷物２１０と荷検出器１０３との関係が図５に示す状態になると、荷検出器１０３が、荷物２１０が所定箇所にあることを検出する（Ｓ１０７）。
【００４３】
荷検出器１０３が荷物２１０を検出すると同時に、搬入情報取得部１２１は、時間の計測を開始する。そして、荷物２１０の搬入動作が継続され、荷物２１０と荷検出器１０３との関係が図６に示す状態、すなわち荷検出器１０３が、荷物２１０が所定箇所にないことを検出するまでの時間を搬入情報取得部１２１は、搬入情報として取得し（Ｓ１１０）、記憶する。
【００４４】
最後に、移載装置１０１は所定の位置まで荷物２１０を搬入し（Ｓ１１３）、搬入処理を終了する。
【００４５】
図７は、荷物を搬送する際の処理、および、動作の流れを示すフローチャートである。
【００４６】
移載装置１０１による搬入処理が終了した後、荷検出器１０３の検出結果から移載装置１０１の所定箇所において荷物２１０がないことを確認した場合、移動判断部１２３は、搬送車１００の移動を許可する（Ｓ２０１）。
【００４７】
移動が許可され、その他条件が整うと荷物２１０を搭載した搬送車１００は、移動を開始する（Ｓ２０４）。
【００４８】
搬送車１００が移動している際、荷検出器１０３の検出結果から移載装置１０１の所定箇所において荷物があることを確認した場合、異常報知部１２４は、異常を報知する（Ｓ２１０）。この場合、搬送車１００を停止させてもよい。
【００４９】
異常がなければ、搬送車１００は、移動を続け目的の他の装置（例えば第一処理装置２０４）に到着する（Ｓ２１３）。
【００５０】
図８は、荷物を搬出する際の処理、および、動作の流れを示すフローチャートである。
【００５１】
搬送車１００が第一処理装置２０４に到着し（Ｓ３０１）、移載装置１０１の駆動を開始する（Ｓ３０４）。
【００５２】
移載装置１０１が駆動すると、荷物２１０が第一処理装置２０４側に搬出されはじめ、荷物２１０と荷検出器１０３との関係が図９に示す状態になると、荷検出器１０３が、荷物２１０が所定箇所にあることを検出する（Ｓ３０７）。
【００５３】
荷検出器１０３が荷物２１０を検出すると同時に、搬出動作停止部１２２は、時間の計測を開始する。そして、先に取得した搬入情報に所定の時間を足した時間だけ荷物２１０の搬出動作を継続し、移載装置１０１の動作を停止させる（Ｓ３１０）。
【００５４】
以上により荷物２１０が図１０に示す状態、すなわち荷物２１０が、第一処理装置２０４に移載される。
【００５５】
最後に、荷検出器１０３の検出結果から移載装置１０１において荷物２１０がないことを確認した場合（Ｓ３１３：Ｎ）、移動判断部１２３は、搬送車駆動部１０４に対し搬送車１００の移動を許可する情報を送信する。
【００５６】
また、荷検出器１０３の検出結果から移載装置１０１において荷物２１０があることを確認した場合（Ｓ３１３：Ｙ）、異常を報知する（Ｓ３１９）。
【００５７】
これにより、図１１に示すように、荷物２１０が移載装置１０１と他の装置（第一処理装置２０４）との間で跨がった状態のまま搬送車１００が移動してしまうことを回避できる。
【００５８】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【産業上の利用可能性】
【００５９】
本願発明は、軌条に沿って走行する搬送車や、無軌条の床面を自走する搬送車など、工場内などにおいて無人で荷物を搬送する搬送車に利用可能である。
【符号の説明】
【００６０】
１００  搬送車
１０１  移載装置
１０２  制御装置
１０３  荷検出器
１０４  搬送車駆動部
１０５  移載装置駆動部
１１１  ローラ
１２１  搬入情報取得部
１２２  搬出動作停止部
１２３  移動判断部
１２４  異常報知部
１３１  投光器
１３２  受光器
２００  搬送システム
２０１  レール
２０２  搬入装置
２０３  搬出装置
２０４  第一処理装置
２０５  第二処理装置
２１０  荷物
【図１】
2013095522.tif 000003
【図２】
2013095522.tif 000004
【図３】
2013095522.tif 000005
【図４】
2013095522.tif 000006
【図５】
2013095522.tif 000007
【図６】
2013095522.tif 000008
【図７】
2013095522.tif 000009
【図８】
2013095522.tif 000010
【図９】
2013095522.tif 000011
【図１０】
2013095522.tif 000012
【図１１】
2013095522.tif 000013